(57)【要約】      （修正有）【課題】メーカーはニーズに合わせて、異なった長さの支柱を受注生産する必要がなく、ユーザーは必要に応じ、自分で支柱の長さを延長できる園芸用支柱を提供する。【解決手段】園芸用支柱は両端にそれぞれ雄型頭部４と雌型頭部３を有し、雄型頭部と雌型頭部はネジにより接続できる。メーカーは、原料の購入、生産販売、輸送などの段階において、コストを節約することができ、ユーザーは、長さをオーダーメイドしたために、製造期間中、長く待たなければならないといったことがなくなる。また、支柱の両端の開口の複数箇所は、中心軸に向かって湾曲させるのが好ましい。金属管両端の構造強度が高められ、支柱を打ち込む際に金属管の端部が破損しにくいだけでなく、雄型頭部と雌型頭部が金属管内に嵌入しにくいため、雄型頭部と雌型頭部が保護され、変形による破損が起こりにくい。【選択図】図１
0003215233.tif 000002
【実用新案登録請求の範囲】
【請求項１】
金属管と、前記金属管の外壁を覆うプラスチック層と、を含む園芸用支柱であって、
前記金属管の第１端部と第２端部に、雌型頭部と雄型頭部がそれぞれ設けられ、前記雌型頭部は中空の円柱形状の第１接続部を含み、前記第１接続部は前記金属管と同軸で且つその内壁に内ネジ山を有し、前記雄型頭部は円柱形状の第２接続部を含み、前記第２接続部は前記金属管と同軸で且つその外壁に前記内ネジ山と対応する外ネジ山を有することを特徴とする、
園芸用支柱。
【請求項２】
前記第２接続部の端部は錐体形状を呈することを特徴とする、
請求項１に記載の園芸用支柱。
【請求項３】
前記雌型頭部は、前記第１接続部と固定される第１固定キャップをさらに含み、前記第１固定キャップは前記第１端部を覆うように固定され、且つ前記第１端部の端部開口をシールすることを特徴とする、
請求項１又は２に記載の園芸用支柱。
【請求項４】
前記第１端部は前記端部開口に、前記金属管の中軸線に向かって湾曲する複数の第１湾曲部を有することを特徴とする、
請求項３に記載の園芸用支柱。
【請求項５】
全ての前記第１湾曲部が前記中軸線上の一点の周囲に集まることを特徴とする、
請求項４に記載の園芸用支柱。
【請求項６】
前記雄型頭部は、前記第２接続部と固定される第２固定キャップをさらに含み、前記第２固定キャップは前記第２端部を覆うように固定され、且つ前記第２端部の端部開口をシールすることを特徴とする、
請求項１から５のいずれか１項に記載の園芸用支柱。
【請求項７】
前記第２端部は前記端部開口に、前記金属管の中軸線に向かって湾曲する複数の第２湾曲部を有することを特徴とする、
請求項６に記載の園芸用支柱。
【請求項８】
全ての前記第２湾曲部が前記中軸線上の一点の周囲に集まることを特徴とする、
請求項７に記載の園芸用支柱。
【請求項９】
前記第１接続部の開口は、第１テーパ面を介して内壁に至り、前記第２接続部は末端部分に前記第１テーパ面と適合する第２テーパ面を有することを特徴とする、
請求項１から８のいずれか１項に記載の園芸用支柱。
【請求項１０】
前記プラスチック層の外壁には、少なくとも１組の補助リブが設けられ、前記補助リブは、軸方向に沿って螺旋状に分布する複数の凸点を含むことを特徴とする、
請求項１から９のいずれか１項に記載の園芸用支柱。
【請求項１１】
前記プラスチック層の外径は３０ミリメートルよりも小さく、前記金属管の長さは４メートルよりも短いことを特徴とする、
請求項１から１０のいずれか１項に記載の園芸用支柱。
【考案の詳細な説明】
【技術分野】
【０００１】
本実用新案は、園芸用資材、特に園芸用支柱に関する。
【背景技術】
【０００２】
農業生産の分野では、農家は通常、木棒や竹竿を用いてフレームを組立て、つる植物の生長を補助している。一般的なものでは、ヘチマ、インゲンマメ、トマトなどがある。これらの木棒や竹竿は環境には優しいが、風や日光にさらされると劣化して割れてしまう。これでは、植物の生長に好ましくない上、使い捨てであるため大量の木棒や竹竿を浪費してしまう。また、観賞用花卉の分野でも、フレームを使い花卉の形決めを補助する必要がある。
【０００３】
このため、農業生産や花卉栽培専用として設計された園芸用支柱が出てきた。園芸用支柱は、金属管と、金属管を覆うプラスチック層とを含み、金属管の両端にはそれぞれプラスチックキャップが取り付けられている。そのうち一方のプラスチックキャップは土壌に差し込みやすいように、尖った形になっている。他方のプラスチックキャップは、平面状である。例えば、中国実用新案第２０３６７５７８０号明細書、公告日２０１４年７月２日では、高強度園芸用支柱が開示されている。この園芸用支柱は、金属管と、金属管の表面を覆うプラスチック層とを含む。金属管の両端は円錐台形状を呈し、プラスチック層の表面に、少なくとも１本の、金属管の軸方向に沿って設置された３〜４個の補助リブを有する。補助リブはプラスチック層の表面に対して波形状を呈している。金属管は両端にそれぞれ尖頭キャップと平頭キャップを有する。この高強度園芸用支柱の金属管の両端は円錐台形状を呈しており、支柱を打ち込んだときに、プラスチックキャップの破損の程度をある程度軽くすることができるが、何度も使用されると、プラスチックキャップはやはり破損してしまう。また、このような園芸用支柱は長さが決まってしまっているため、顧客の異なるニーズに合わせ、異なる規格長さの製品を生産しなければならず、原料の購入、生産、廃棄物処理、輸送などの段階において、コストが上がってしまう。
【先行技術文献】
【特許文献】
【０００４】
【特許文献１】中国実用新案第２０３６７５７８０号明細書
【考案の概要】
【考案が解決しようとする課題】
【０００５】
本考案が解決しようとする技術的課題は、以下のような園芸用支柱を提供することにある。
【課題を解決するための手段】
【０００６】
園芸用支柱は両端に雄型頭部と雌型頭部をそれぞれ有し、２本の支柱が雄型頭部と雌型頭部により接続される。メーカーは１種類の規格長さの製品を生産するだけで、顧客の支柱の長さに対する大部分のニーズを満たすことができる。
【０００７】
また、本考案は、以下のような園芸用支柱も提供する。園芸用支柱の金属管は、両端の端部開口に、中心軸に向かって湾曲した複数の湾曲部を有する。これにより金属管両端の構造強度を高め、支柱を打ち込んだ際に金属管の端部が破損しにくいだけでなく、支柱を打ち込んだ際に、雄型頭部と雌型頭部が金属管内に嵌入しにくく、雄型頭部と雌型頭部を保護し、変形による破損が起こりにくくなる。
【０００８】
上述の技術的課題を解決するために本考案が採用する技術的手段は、以下の通りである。園芸用支柱は、金属管と、金属管の外壁を覆うプラスチック層と、を含む。金属管の第１端部と第２端部に雌型頭部と雄型頭部がそれぞれ設けられる。雌型頭部は、中空の円柱形状の第１接続部を含む。第１接続部は金属管と同軸で、且つその内壁に内ネジ山を有する。雄型頭部は円柱形状の第２接続部を含む。第２接続部は金属管と同軸で、且つその外壁に内ネジ山と対応する外ネジ山を有する。
【０００９】
さらに、第２接続部の端部は、錐体形状を呈する。
具体的には、雌型頭部は、第１接続部と固定される第１固定キャップをさらに含む。第１固定キャップは第１端部を覆うように固定され、且つ第１端部の端部開口をシールする。
【００１０】
好ましくは、第１端部は、端部開口に、金属管の中軸線に向かって湾曲する複数の第１湾曲部を有する。
さらに、全ての第１湾曲部は、中軸線上の一点の周囲に集まる。
【００１１】
具体的には、雄型頭部は、第２接続部と固定される第２固定キャップをさらに含む。第２固定キャップは第２端部を覆うように固定され、且つ第２端部の端部開口をシールする。
【００１２】
好ましくは、第２端部は、端部開口に、金属管の中軸線に向かって湾曲する複数の第２湾曲部を有する。
さらに、全ての第２湾曲部は、中軸線上の一点の周囲に集まる。
【００１３】
好ましくは、第１接続部の開口は、第１テーパ面を介して内壁に至り、第２接続部は末端部分に第１テーパ面と適合する第２テーパ面を有する。
好ましくは、プラスチック層の外壁には、少なくとも１組の補助リブが設けられ、補助リブは、軸方向に沿って螺旋状に分布する複数の凸点を含む。
【００１４】
具体的には、プラスチック層の外径は３０ミリメートルよりも小さく、金属管の長さは４メートルよりも短い。
【考案の効果】
【００１５】
本考案の有益な効果は、以下の通りである。園芸用支柱は両端にそれぞれ雄型頭部と雌型頭部を有し、雄型頭部と雌型頭部はネジ山により接続することができる。メーカーは、ユーザーの長さに対するニーズに合わせて、異なった長さの支柱を受注生産する必要がなく、ユーザーは必要に応じ自分で支柱の長さを延長することができる。メーカーにとっては、原料の購入、生産販売、輸送などの段階において、コストを節約することができ、また、ユーザーにとっても、長さをオーダーメイドしたために、製造期間中、長く待たなければならないといったことがなくなる。
【００１６】
また、本考案の別の園芸用支柱において、支柱の両端の開口の複数箇所は、支柱の金属管の中心軸に向かって湾曲している。これにより、金属管両端の構造強度が高められ、支柱を打ち込む際に金属管の端部が破損しにくいだけでなく、支柱を打ち込む際に雄型頭部と雌型頭部が金属管内に嵌入しにくいため、雄型頭部と雌型頭部が保護され、変形による破損が起こりにくい。
【図面の簡単な説明】
【００１７】
以下、図面と実施例をあわせながら、本考案についてさらに説明する。
【図１】本考案の園芸用支柱の１つの実施例にかかる分解構造模式図。
【図２】園芸用支柱の別の１つの実施例にかかる雄型頭部と雌型頭部の斜視図。
【図３】園芸用支柱の別の１つの実施例にかかる雄型頭部の斜視図。
【図４】園芸用支柱の別の１つの実施例にかかる第１端部を軸方向から見た図。
【図５】園芸用支柱の別の１つの実施例にかかる第１端部を軸方向から見た図。
【図６】園芸用支柱の別の１つの実施例にかかる第１端部の構造を示す斜視図。
【考案を実施するための形態】
【００１８】
以下、本考案の実施例について詳しく述べる。実施例の態様は図面により示されている。その中で、同一又は類似の符号は、終始、同一又は類似の部品、あるいは同一又は類似の機能を持つ部品を示している。以下、図面を参考に説明する実施例は、例示的なものであり、本考案の説明のためだけに用いられるのであって、本考案を限定するものであると解釈すべきではない。
【００１９】
本考案の説明において、「中心」、「縦方向」、「横方向」、「長さ」、「幅」、「厚み」、「上」、「下」、「前」、「後」、「左」、「右」、「垂直」、「水平」、「頂」、「底」、「内」、「外」、「軸方向」、「径方向」、「周方向」などの用語により指し示す方位や位置関係は、図面で示す方位や位置関係に基づいており、本考案の説明の便宜上、また説明を簡易化するために用いられているのみであって、装置や部品が特定の方位にあるべきということではなく、また、特定の方位における構造や操作を指し示したり、又は暗示したりするものではない。よって、本考案を限定するものであると解釈すべきではない。
【００２０】
また、「第１」「第２」などの用語は、説明のためだけに用いられており、相対的な重要度を示したり、又は暗示したりするものと解釈してはならない。本考案の記述において、説明しておくべきなのは、他に明確な規定や限定がある場合を除いて、「つなぐ」「接続する」という用語は、広義に解釈されるべきである。例えば、「固定接続されても、取り外し可能に接続されても、あるいは一体的に接続されてもよい」、「機械的に接続されてもよいし、電気的に接続されてもよい」、「直接つながれてもよいし、中間媒体を介して間接的につながれもよい」などが挙げられる。当業者には、具体的な状況から、上述の用語が本考案の説明において含む具体的な意味を理解することができるだろう。また、本考案の説明において、特に他に説明がなければ、「複数」は「２つあるいは２つ以上」を意味する。
【００２１】
図１は園芸用支柱の１つの実施例を示している。図１に示すように、園芸用支柱は、金属管１と、金属管１の外壁を覆うプラスチック層２と、を含む。金属管１は中空の円柱形状の鋼管であり、その両端はそれぞれ第１端部１０１と第２端部１０２とである。第１端部１０１には雌型頭部３が設けられ、第２端部１０２には雄型頭部４が設けられる。雌型頭部３は、第１接続部３０１と、第１固定キャップ３０２と、を含む。第１固定キャップ３０２は、第１端部１０１を覆うように固定され、第１端部１０１の端部開口をシールする。第１固定キャップ３０２と第１接続部３０１は、一体構造のプラスチック部材である。第１接続部３０１は中空の円柱形状で、第２端部１０２から離れた方向に向かって開口している。第１接続部３０１は金属管１と同軸であり、その内壁に内ネジ山を有する。雄型頭部４は、第２接続部４０１と第２固定キャップ４０２を含む。第２固定キャップ４０２は第２端部１０２を覆うように固定され、第２端部１０２の端部開口をシールする。第２固定キャップ４０２と第２接続部４０１は、一体構造のプラスチック部材である。第２接続部４０１は円柱形状であり、金属管１と同軸で、その外壁には内ネジ山と対応する外ネジ山を有する。第２接続部４０１の外径と第１接続部３０１の内径は互いに適合する。ユーザーは自身の必要な長さに合わせて、１本の支柱の雄型頭部４をもう１本の支柱の雌型頭部３にねじ込み、２本の支柱を接続することができる。
【００２２】
図２に示すように、別のある実施例では、第１接続部３０１の開口は、第１テーパ面３０３を介して内壁に至り、第２接続部４０１は末端部分に第１テーパ面３０３と適合する第２テーパ面４０３を有する。２本の支柱を接続する際、一方の支柱の雄型頭部４が他方の支柱の雌型頭部３にねじ込まれ、一方の支柱の第２テーパ面４０３と他方の支柱の第１テーパ面３０３が密着するので、２本の支柱の接合を増強することができる。
【００２３】
図３に示すように、別のある実施例では、第２接続部４０１の端部の直径は、中心軸に沿って、第１接続部３０１から離れた方向に向かって徐々に小さくなり、錐体形状を呈する。錐体頭部４０４は、土に差し込みやすい。
【００２４】
図４に示すように、別のある実施例では、第１端部１０１は端部開口に、金属管１の中軸線に向かって湾曲する複数の第１湾曲部１０３を有する。このような構造は、第１端部１０１の開口部の大きさを大幅に小さくすることができる。円形の開口と異なるのは、このような構造は、開口部の大きさを小さくすることで、支柱を打ち込んだ際の雄型頭部４と雌型頭部３（プラスチック部材）の金属管１への嵌入を困難にし、プラスチック部材が変形しにくくなるため、プラスチック部材の無傷を保証するだけではなく、さらに、開口部を湾曲させた後のプラスチック部材に作用する力が比較的均一であるため、力が同程度に分散され、プラスチック部材の変形量が少なくなる。また、開口部を曲げて変形させると、開口部の構造強度が高まり、打ち込む過程において開口部が変形しにくくなる。よって、このような、開口部が複数の箇所で曲げられている構造により、支柱の両端の構造強度と耐衝撃性を高めることができ、支柱の品質も向上する。第１端部１０１の端部開口と同様に、第２端部１０２の端部開口も金属管１の中軸線に向かって湾曲した複数の第２湾曲部を有している。
【００２５】
図５に示すように、別のある実施例では、全ての第１湾曲部１０３は中軸線上の一点の周囲に集まっている。第１湾曲部１０３が集中すると、ほぼ第１端部１０１の開口部を閉じることになるので、さらに湾曲構造による開口部の効果を高めることができる。同様に、全ての第２湾曲部も中軸線上の一点の周囲に集まっている。
【００２６】
図６に示すように、別のある実施例では、プラスチック層の外壁に３組の補助リブが設けられている。補助リブは、軸方向に沿って螺旋状に分布した若干数の凸点５を含む。凸点５は、つる植物が補助リブに付着する力を高める。これにより、つる植物が支柱を伝いやすく、雨風に打たれても植物が落ちにくい。
【００２７】
また、ある実施例においては、プラスチック層の外径は１０ミリメートル、２０ミリメートル、又は３０ミリメートルであり、金属管の長さは、１メートル、２メートル、３メートル、又は４メートルである。
【００２８】
本明細書の説明において、以下の参考用語「１つの実施例」、「ある実施例」、「例」、「具体例」、又は「ある例」等の表現は、当該実施例又は例を参考に説明した具体的な特徴、構造、材料、又は特色が本考案の少なくとも一つの実施例又は例に含まれることを意味する。本明細書において、上述の用語が指し示す説明は、必ずしも同一の実施例又は例を指しているとは限らない。また、説明した具体的特徴、構造、材料、又は特色は、１つのあるいは複数の実施例又は例のいずれかにおいて適切な形で組み合わせられてもよい。
【００２９】
以上、本考案の理想的な実施例をもとに説明したが、上述の説明から、当業者が本考案の技術的思想を逸脱しない範囲において、多種の変更および修正を行ってもよい。本考案の技術的範囲は、明細書の内容に限られるのではなく、実用新案登録請求の範囲に基づいて、技術的範囲が確定されるべきである。
【符号の説明】
【００３０】
１      金属管
２      プラスチック層
３      雌型頭部
４      雄型頭部
５      凸点
１０１      第１端部
１０２      第２端部
１０３      第１湾曲部
３０１      第１接続部
３０２      第１固定キャップ
３０３      第１テーパ面
４０１      第２接続部
４０２      第２固定キャップ
４０３      第２テーパ面
４０４      錐体頭部
【図１】
0003215233.tif 000003
【図２】
0003215233.tif 000004
【図３】
0003215233.tif 000005
【図４】
0003215233.tif 000006
【図５】
0003215233.tif 000007
【図６】
0003215233.tif 000008